(57)【特許請求の範囲】
【請求項１】
ガスバーナ点火用の圧電素子と、該圧電素子に衝撃力を与えるハンマと、該ハンマを圧電素子に向けて押圧付勢するハンマ付勢部材とを備え、
ガスバーナの点火操作用ツマミ軸に前記ハンマ付勢部材の付勢力に抗して前記ハンマを圧電素子より離間させる点火作動部材を設け、
前記点火作動部材の先端部分には、係合爪が形成され、
前記ハンマの端面には、点火操作用ツマミ軸の押し回しの際に前記係合爪の係合離脱を阻止するガイド溝が設けられていることを特徴とする圧電点火装置。
【発明の詳細な説明】
【０００１】
【発明の属する技術分野】
本発明は、ガス器具などに用いられる圧電点火装置に関し、更に詳しくは、圧電素子にハンマで打撃を与えることによりガスバーナの点火を行う圧電点火装置に関するものである。
【０００２】
【従来の技術】
従来から、給湯器、テーブルコンロ、暖房器などのガス器具においては、ガスバーナの点火にこの種の圧電点火装置が一般に用いられる。この圧電点火装置は、ハンマで圧電素子に打撃を与えバーナ近傍に設けられる点火プラグとバーナの間に火花放電を生じさせて点火を行うものである。
【０００３】
その従来一般に知られる圧電点火装置の概略構成を図４(a)(b)に示して説明する。図示の圧電点火装置６０はいわゆる押回し式のもので、フレーム板６２に圧電素子６６と、圧電素子を叩くハンマ６８と、ハンマを圧電素子に向けて付勢するハンマ付勢バネ７０とが同一平面内で同軸的に配置されている。
【０００４】
そしてこのフレーム板６２に取り付けられたブラケット６４にガス点火操作用ツマミ７２のシャフト（ツマミ軸）７４が矢示Ａ方向に進退動自在に、かつ矢示Ｂ方向に回動可能に挿着され、そのツマミ軸７４の先端に前記ハンマ６８をハンマ付勢バネ７０の付勢力に抗して圧電素子６６より離間させる点火作動部材７６が取り付けられている。このツマミ軸７４には、点火作動部材７６をフレーム板６２に当接状態で押圧する点火作動部材付勢バネ７８が介設されている。
【０００５】
この圧電点火装置６０の使用に当たっては、点火操作用ツマミ７２を図中矢示Ａ方向へ押してガス栓（図示せず）を開かせ、次いでこの点火用操作ツマミ７２を矢示Ｂ方向へ回すことにより点火操作用ツマミ軸７４に設けられる点火作動部材７６によってハンマ６８が押し下げられ、点火作動部材７６が所定の回転角度押し回された時点でハンマ６８との係合関係が外れ、ハンマ６８がハンマ付勢バネ７０の付勢力によって圧電素子６６に衝突し、ガスバーナの点火が行われるものである。
【０００６】
【発明が解決しようとする課題】
しかしながら、このように構成された従来の圧電点火装置では、点火操作時に点火作動部材が充分に所定の回転角度まで押し回されないうちに使用者の押圧力が弱まったりすると、点火作動部材が図４（b)において手前側に動いてハンマから外れ、ハンマが所定のストロークまで到達することなく圧電素子を叩くことになるため点火不良が発生するおそれがあった。
【０００７】
本発明の解決しようとする課題は、ガスバーナの点火操作時に使用者が点火操作用ツマミを押し回しするときの押圧力が緩んでも点火作動部材がハンマから不用意に外れることがなく、不完全な状態でガスバーナの点火動作が行われることのないようにした圧電点火装置を提供することにある。
【０００８】
【課題を解決するための手段】
この課題を解決するために本発明の圧電点火装置は、ガスバーナ点火用の圧電素子と、該圧電素子に衝撃力を与えるハンマと、該ハンマを圧電素子に向けて押圧付勢するハンマ付勢部材とを備え、ガスバーナの点火操作用ツマミ軸に前記ハンマ付勢部材の付勢力に抗して前記ハンマを圧電素子より離間させる点火作動部材を設け、前記点火作動部材の先端部分には、係合爪が形成され、前記ハンマの端面には、点火操作用ツマミ軸の押し回しの際に前記係合爪の係合離脱を阻止するガイド溝が設けられていることを要旨とするものである。
【０００９】
上記構成を有する圧電点火装置によれば、ガスバーナの点火に際して点火操作用ツマミ軸を押し回しし、点火作動部材によりハンマを圧電素子より離間させて所定の回転角度回動させた時に点火作動部材とハンマとの係合関係が解除され、ハンマ付勢部材の付勢力によりハンマが圧電素子に向けて衝突しバーナの点火が行われるが、その際に使用者による点火操作用ツマミ軸の押し回し力が緩んでも点火作動部材はハンマに設けられるガイド機構によりハンマとの係合関係が維持され、所定の回転角度回動される前に不用意にハンマとの係合関係が解除されてハンマから外れるようなことはない。従って使用者がハンマー音を聞くことがないので点火動作が終わったと勘違いすることがなく、確実にバーナの点火動作が行われることになる。
【００１０】
【発明の実施の形態】
以下に本発明の好適な実施の形態を図面を参照して詳細に説明する。図１（a)(b)(c)は、本発明の一実施形態に係る圧電点火装置の各要部を示した断面図、図２はこの圧電点火装置の全体構成を示す外観斜視図、図３はそのガス安全弁機構等も含めた圧電点火装置の断面図を示したものである。
【００１１】
これらの図に示されるように、本実施形態における圧電点火装置１０は、フレーム板１２に取り付けられたブラケット１４に、機械的な衝撃力によって高電圧を発生する圧電素子１６と、この圧電素子１６に衝撃力を与える中実棒状のハンマ１８とが同一平面内で同軸的に配置され、該ハンマ１８には圧電素子１６に向けて押圧付勢するハンマ付勢バネ２０が係合されている。
【００１２】
一方、前記フレーム板１２にはガス点火操作用ツマミ２２のシャフト（ツマミ軸）２４が矢示Ａ方向に進退動自在に、かつ矢示Ｂ方向に回動可能に遊挿され、そのツマミ軸２４の先端部分は前記ブラケット１４に回動可能に貫挿されている。
【００１３】
そして該ツマミ軸２４のブラケット前面側に前記ハンマ１８をハンマ付勢バネ２０の付勢力に抗して圧電素子１６より離間させる点火作動部材２６が遊嵌状に取り付けられ、この点火作動部材と前記フレーム板１２との間には、該点火作動部材２６をブラケット１４面に向けて押圧する点火作動部材付勢バネ２８が介設されている。
【００１４】
また、前記点火作動部材２６の先端部分には、前記ハンマ１８の圧電素子１６と向かい合う端面に当接される係合爪３０が形成され、そのハンマ１８の端面には、点火作動部材２６の回動操作時に該係合爪３０が係合離脱不能に係留されるガイド３２が形成されている。
【００１５】
また、前記ブラケット１４の背面に取り付けられるバルブボディ３４内には、電磁安全弁３６，パイロット弁３８が設けられており、ガス流入口４２からこのバルブボディ３４内に流入されるガスは、電磁安全弁３６，およびメインバーナガス導管４４を介してガスバーナ４６のバーナヘッド４８にメインノズル５０より導入されると共に、一部のガスはパイロット弁３８およびパイロットバーナガス導管５２を介してガスバーナ４６に配置される点火パイロットバーナ５４に導入されるようになっている。尚、点火パイロットバーナ５４に近接して点火プラグ５５が配置されている。
【００１６】
このように構成された圧電点火装置１０によれば、使用者が点火操作用ツマミ２２を押し回しすると、電磁安全弁３６やパイロット弁３８が開弁状態となり、メインバーナガス導管４４を介してガスバーナ４６のバーナヘッド４８にガスが供給されると共に、パイロットバーナガス導管５２を介して点火パイロットバーナ５４にガスが供給される状態となり、次いで点火動作部材２６の係合爪３０がハンマ１８のガイド３２内に嵌まり、ハンマ付勢バネ２０の付勢力に抗してハンマ１８を押し下げ始める。
【００１７】
そして点火操作用ツマミ２２のツマミ軸２４が所定角度回動されたとき点火作動部材２６の係合爪３０が、ハンマ１８から外れるので、ハンマ１８はハンマ付勢バネ２０により圧電素子１６に向かって衝突し、点火プラグ５５とパイロットバーナ５４との間に火花が発生してガスバーナ４６の点火が行われる。
【００１８】
そしてこの動作中において点火作動部材２６の係合爪３０はハンマ１８のガイド３２内に嵌まっているので、使用者が点火操作用ツマミ２２を押し回し操作するときの押圧力が、緩くなっても不用意にハンマ１８のガイド３２から外れることはない。従って使用者がハンマー音を聞くことがないので点火動作が終わったと勘違いすることがなく、確実にバーナの点火動作が行われることになる。
【００１９】
そして点火動作が終了し、使用者が点火操作用ツマミ２２を逆回し（矢示Ｂ方向とは逆方向）すれば、点火作動部材２２は点火作動部材付勢バネ２８の付勢力に抗してややブラケット１４より浮き上がった状態でハンマ１８の外周面に沿って元の位置まで戻されることとなる。
【００２０】
本発明は上記した実施の形態に何ら限定されるものではなく、本発明の趣旨を逸脱しない範囲で種々の改変が可能である。例えば、上記実施例においては、ハンマ付勢バネや点火作動部材付勢バネにコイルバネを使用したが、板バネその他の弾発機構を用いるものであっても構わないし、点火動作後に点火操作用ツマミおよびツマミ軸が点火作動部材とともに自動的に元の回転まで戻るような戻りバネ機構を用いるものであってもよい。
【００２１】
【発明の効果】
本発明の圧電点火装置によれば、ガスバーナの点火に際して使用者が点火操作用ツマミ軸を押し回しした時に、その押し回し力が緩むことによってバーナ点火用の圧電素子に衝撃力を与えるハンマがその押し回し途中で点火作動部材との係合関係が外れて弱い衝撃力で圧電素子に衝突しバーナの点火に失敗するようなことはなく、確実にバーナの点火が行われるものである。したがって使用者は点火操作をやり直さなければならない等の不便はなくなり、ガス器具使用上の使い勝手は更に良いものとなる。
【図面の簡単な説明】
【図１（ａ）（ｂ）（ｃ）】本発明の一実施形態に係る圧電点火装置の各要部を示す断面図である。
【図２】図１に示した圧電点火装置の全体構成を一部破断して示した外観斜視図である。
【図３】この圧電点火装置が適用されたガスコック部分の断面図である。
【図４（ａ）（ｂ）】従来一般に知られる圧電点火装置の各要部を示す断面図である。
１０圧電点火装置
１６圧電素子
１８ハンマ
２０ハンマ付勢バネ
２２点火操作用ツマミ
２４ツマミ軸
２６点火作動部材
２８点火作動部材付勢バネ
３０係合爪
３２ガイド溝
４６ガスバーナ
５４点火パイロットバーナ
５６点火プラグ
【図１】
0004572360.tif 000002
【図２】
0004572360.tif 000003
【図３】
0004572360.tif 000004
【図４】
0004572360.tif 000005